(57)【特許請求の範囲】
【請求項１】
放電電極と、該放電電極を冷却して空気中の水分を結露させて放電電極に結露水を生成させるための冷却手段と、放電電極に生成した上記結露水を静電霧化するために放電電極に高電圧を印加するための高電圧印加部とを備え、放電電極の周りに放電電極の突出方向側が開口となった小間隙を介して断熱材を設けると共に放電電極の先端の放電部を露出させて成ることを特徴とする静電霧化装置。
【請求項２】
断熱材の表面を放電電極に近づく程放電電極の突出方向側となるように傾斜した傾斜面として成ることを特徴とする請求項１記載の静電霧化装置。
【請求項３】
上記小隙間に流れた水を溜めるための水溜め用凹所を設けて成ることを特徴とする請求項１又は請求項２記載の静電霧化装置。
【請求項４】
断熱材が保水性を有する多孔質材料により形成してあることを特徴とする請求項１乃至請求項３のいずれかに記載の静電霧化装置。
【請求項５】
断熱材の表面に余剰結露水を入れる凹部を形成して成ることを特徴とする請求項１乃至請求項３のいずれかに記載の静電霧化装置。
【請求項６】
断熱材の放電電極の突出側方向の表面から水溜め用凹所に至る孔を形成して成ることを特徴とする請求項１乃至請求項３のいずれかに記載の静電霧化装置。
【請求項７】
断熱材の表面を親水処理して成ることを特徴とする請求項１乃至請求項３又は請求項５乃至請求項６のいずれかに記載の静電霧化装置。
【発明の詳細な説明】
【技術分野】
【０００１】
本発明は、静電霧化現象によりナノメータサイズのマイナスイオンミストを発生させる静電霧化装置に関するものである。
【背景技術】
【０００２】
静電霧化装置とは、放電電極と、放電電極に対向して位置する対向電極と、放電電極に水を供給する供給手段とを備え、放電電極と対向電極との間に高電圧を印加することで放電電極に保持される水を霧化させてナノメータサイズで強い電荷を持つマイナスイオンミスト（以下、これをナノイオンミストという）を発生させるものである（特許文献１参照）。ナノイオンミストの粒径は３〜数十ｎｍ程度であって、人体の角質細胞の大きさである７０ｎｍよりも小さな粒径であるため、広範囲に飛散し、滞留時間が長く、壁面などの内部にも浸透し、高い脱臭効果や殺菌効果を発揮することができ、また、皮膚に対してはナノイオンミストの暴露により角質層表面の奥までも水分が十分に補給されて、高い保湿効果が得られ、また、毛髪の保湿効果等の効果も得られるようになっているので、多様な商品に備えることで多様な効果が得られるものである。
【０００３】
しかし、上記特許文献１に示されたような従来の静電霧化装置は、水の供給手段として、水が充填される水タンクと、水タンク内の水を毛細管現象により放電電極にまで搬送する水搬送部を備えた構造であることから、使用者は水タンク内に継続的に水を補給する必要があり、面倒な水補給の手間が強いられるという問題があった。また、上記の静電霧化装置においては、水タンクに補給する水が水道水のようなＣａ、Ｍｇ等の不純物を含む水であった場合には、この不純物が空気中のＣＯ２と反応して水搬送部の先端にＣａＣＯ３やＭｇＯ等を析出付着させ、ナノイオンミストの発生を妨げるという問題があった。
【０００４】
そこで、本発明者は本発明に至る過程で、放電電極を冷却して空気中の水分を結露させることで放電電極に結露水を生成させることを考えた。これだと、上記特許文献１に示される従来例のような水の補給作業が必要でなく、また、空気中の水分を結露させて結露水を得るので、従来のような水道水を供給するもののようにＣａＣＯ３やＭｇＯ等を析出付着させるというようなこともないことが判った。
【０００５】
ところが、放電電極を冷却して空気中の水分を結露させることで放電電極に結露水を生成する場合、放電電極の先端の放電部以外の部分も冷却されて結露水が生成されるので、構造や使用環境によっては、放電部（又は放電部と放電部付近）の冷却効果、つまり、放電部（又は放電部と放電部付近）における結露水の生成効果が低下するという問題がある。更に、構造や使用環境によっては、放電部（又は放電部と放電部付近）に生成した結露水が放電電極の上記以外の部分に生成した結露水側に引かれて放電部の水が少なくなったりして、安定したテーラコーンの形成ができず、安定した放電ができないという問題があることが判明した。
【０００６】
これを解決するため本発明者は、図８に示すように放電電極１の周りに断熱材７を密着させると共に先端の放電部４ａを外部に露出させることで、放電電極１を冷却手段２で冷却して空気中の水分を放電電極１に結露させるに当たって放電電極１の放電部４ａ（又は放電部４ａと放電部４ａ付近）のみに結露水を生成させ、放電電極１の外部への露出部分以外の部分には結露水が生成しないようにすることを考えた。
【０００７】
しかしながら、このものにおいては断熱材７を放電電極１の周りに密着させて設けるので、放電電極１の外部への露出部分で余剰の結露水が多量に生成された場合、放電に寄与しない余剰結露水が断熱材７の表面側に流れて溜まって余剰結露水が図８のように断熱材７から放電電極１の外部への露出部分全体を覆うように比較的大きな水の塊Ｗとなり、このため安定したテーラコーンが形成できず、安定した放電ができなくなってしまうという問題が発生することが判った。
【特許文献１】特許第３２６０１５０号公報
【発明の開示】
【発明が解決しようとする課題】
【０００８】
本発明は上記の従来の問題点に鑑みて発明したものであって、水の補給の手間がかからず、しかもＣａＣＯ３やＭｇＯ等を析出付着させ、ナノイオンミストの発生を妨げるという現象もなく、更に、放電電極の先端部を効果的に冷やして放電霧化で必要な箇所でのみ結露水を生成させて、安定したテーラコーンの形成ができて安定した放電ができ、しかも、放電電極の外部への露出部分で余剰に結露水が生成された場合に、放電に寄与しない余剰結露水が断熱材の表面側に溜まって断熱材の表面から放電電極の先端部全体を覆うような水の塊ができず放電を安定させ、更に、周囲の環境が乾燥化した際に周囲環境に水分を供給できて安定して結露水の生成ができて安定した放電ができる静電霧化装置を提供することを課題とするものである。
【課題を解決するための手段】
【０００９】
上記課題を解決するために本発明に係る静電霧化装置は、放電電極１と、該放電電極１を冷却して空気中の水分を結露させて放電電極１に結露水を供給するための冷却手段２と、放電電極１に生成した上記結露水を静電霧化するために放電電極１に高電圧を印加するための高電圧印加部３とを備え、放電電極１の周りに放電電極１の突出方向側が開口となった小間隙６を介して断熱材７を設けると共に放電電極１の先端の放電部４ａを露出させて成ることを特徴とするものである。
【００１０】
このような構成とすることで、放電電極１には空気中の水分を基にして水が供給されるので水を補給する必要がなく、しかも生成される水には不純物が含まれないので付着物除去の手間も不要な静電霧化装置となる。加えて、放電電極１に直接水が生成される構造なので冷却を開始してから素早い時間でミストを発生させることが可能であり、例えばヘアドライヤ等の短時間だけ使用する商品に備えるにも適したものとなる。そして、放電電極１の周りに放電電極１の突出方向側が開口となった小間隙６を介して断熱材７を設けてあるので、小隙間６が外部空間の空気流れの影響を受け難くてこの部分が断熱空間として機能し、放電電極１を冷却手段２で冷却して空気中の水分を放電電極１に結露させるに当たって放電電極１の外部に露出した部分でのみに結露水が生成され、他の部分には結露水が生成せず、これにより放電電極１の先端の放電部４ａ（又は、放電部４ａと放電部４ａ付近の部分）の冷却効果が向上し、放電電極１の放電部４ａ（又は、放電部４ａと放電部４ａ付近の部分）に安定して結露水を生成でき、また、この部分に生成された結露水の量が多い場合には小隙間６の放電電極１の突出方向側の開口５から小隙間６内に余剰結露水が流れ込み、これにより、断熱材７から放電電極１の外部への露出部分全体を覆うような水の塊が発生しないようにできて安定した放電ができる。また、周囲環境が乾燥化した場合、小隙間６に入った水が周囲環境に供給されて放電電極１の先端の放電部４ａ（又は、放電部４ａと放電部４ａ付近の部分）に結露水を生成でき、この点でも安定して放電電極１の先端の放電部４ａ（又は、放電部４ａと放電部４ａ付近の部分）に結露水を生成して静電霧化を行える。
【００１１】
また、断熱材７の表面を放電電極１に近づく程放電電極１の突出方向側となるように傾斜した傾斜面８とすることが好ましい。
【００１２】
このような構成とすることで、静電霧化により生成されたナノイオンミストを搬送するために送風手段により放電電極１の突出方向に送風した場合に、風の一部が断熱材７の表面に沿って流れるが、この断熱材７の表面が傾斜面８であるため、傾斜面８に沿って風が流れて放電電極１の突出方向に流れることになり、小隙間６の開口５付近で空気の渦を発生させるようなことがない。このため、生成されたナノイオンミストを渦に巻き込むことがなく、空気流に乗って効果的にナノイオンミストを放出することができる。また、開口５付近で空気の渦流の発生がないので、小隙間６内の空気を撹乱して放電電極１の先端の放電部４ａ（又は、放電部４ａ及び放電部４ａ付近の部分）以外の部分から熱を奪うことがなくて、小隙間６の断熱性を低下させない。また、放電電極１の先端の放電部４ａ（又は、放電部４ａ及び放電部４ａ付近の部分）に生成された結露水の量が多い場合に、一部の結露水が小隙間６の開口５を越えて断熱材７の表面に流れても、傾斜面８に沿って放電電極１から離れる方向に流すことができて、これにより、断熱材７から放電電極１の外部に露出した部分全体を覆うような水の塊が発生しないようにできて安定した放電ができる。
【００１３】
また、小隙間６に流れた水を溜めるための水溜め用凹所９を設けることが好ましい。
【００１４】
このような構成とすることで、小隙間６に流れた余剰結露水を水溜め用凹所９に溜めることができて、よりいっそう断熱材７から放電電極１の外部に露出した部分全体を覆うような水の塊が発生しないようにできて安定した放電ができる。しかも、周囲環境が乾燥化した場合、水溜め用凹所９に溜まった水が周囲環境に供給されて放電電極１の外部に露出した部分に結露水を生成でき、この点でも安定して放電電極１の先端の放電部４ａ（又は、放電部４ａ及び放電部４ａ付近の部分）に結露水の生成をして静電霧化を行える。
【００１５】
また、断熱材７が保水性を有する多孔質材料により形成してあることが好ましい。
【００１６】
このような構成とすることで、余剰結露水を多孔質材料の断熱材７に水を保水でき、よりいっそう断熱材７の表面から放電電極１の外部に露出した部分全体を覆うような水の塊が発生しないようにできて安定した放電ができる。しかも、周囲環境が乾燥化した場合、多孔質材料の断熱材７に保水した水が周囲環境に供給されて放電電極１の先端の放電部４ａ（又は、放電部４ａ及び放電部４ａ付近の部分）に結露水を生成でき、より安定して放電電極１の先端の放電部４ａ（又は、放電部４ａ及び放電部４ａ付近の部分）に結露水の生成をして静電霧化を行える。
【００１７】
また、断熱材７の表面に余剰結露水を入れる凹部１０を形成することが好ましい。
【００１８】
このような構成とすることで、断熱材７の凹部１０に余剰結露水を保水でき、よりいっそう断熱材７から放電電極１の外部への露出部分全体を覆うような水の塊が発生しないようにできて安定した放電ができる。しかも、周囲環境が乾燥化した場合、断熱材７に設けた凹部１０に保水した水が周囲環境に供給されて放電電極１の先端の放電部４ａ（又は、放電部４ａ及び放電部４ａ付近の部分）に結露水を生成でき、より安定して放電電極１の先端の放電部４ａ（又は、放電部４ａ及び放電部４ａ付近の部分）に結露水の生成をして静電霧化を行える。
【００１９】
また、断熱材７の放電電極１の突出方向側の表面から水溜め用凹所９に至る孔１１を形成することが好ましい。
【００２０】
このような構成とすることで、余剰結露水を孔１１から水溜め用凹所９にながして保水でき、よりいっそう断熱材７から放電電極１の外部への露出部分全体を覆うような水の塊が発生しないようにできて安定した放電ができる。しかも、周囲環境が乾燥化した場合、水溜め用凹所９に保水した水が周囲環境に供給されて放電電極１の先端の放電部４ａ（又は、放電部４ａ及び放電部４ａ付近の部分）に結露水を生成でき、より安定して放電電極１の先端の放電部４ａ（又は、放電部４ａ及び放電部４ａ付近の部分）に結露水の生成をして静電霧化を行える。
【００２１】
また、断熱材７の表面を親水処理することが好ましい。
【００２２】
このような構成とすることで、断熱材７の表面の水が表面張力を失い、よりいっそう断熱材７の表面から放電電極１の外部への露出部分全体を覆うような水の塊が発生しないようにできて安定した放電ができる。しかも、断熱材７の表面の水が表面張力を失うので、水を小隙間６側にスムーズに流すことができる。
【発明の効果】
【００２３】
本発明は、放電電極を冷却手段で冷却して放電電極に結露水を生成させるので水の補給の手間がかからず、水道水を毛細管現象で放電電極の先端に供給するもののようにＣａＣＯ３やＭｇＯ等が析出付着してナノイオンミストの発生を妨げるという現象もなく、更に、放電電極の周りに小隙間を介して設けた断熱材の存在により静電霧化に必要な箇所でのみ効果的に結露水を発生させて、安定したテーラコーンの形成ができて安定して静電霧化ができ、しかも、放電電極の外部への露出部分に余剰に結露水が生成された場合に、断熱材の表面から放電電極の外部に露出した部分全体を覆うような水の塊が発生しないようにできて安定した放電ができ、更に、周囲の環境が乾燥化した際に周囲環境に水分を供給できて安定して結露水の生成ができて安定した放電ができる。
【発明を実施するための最良の形態】
【００２４】
以下、本発明を添付図面に示す実施形態に基いて説明する。
【００２５】
図１には本発明の静電霧化装置の概略構成図を示し、図２には要部断面図を示している。本例の静電霧化装置は、放電電極１と、該放電電極１を冷却して空気中の水分を結露させて放電電極１に結露水を供給するための冷却手段２と、放電電極１に生成した上記結露水を静電霧化するために放電電極１に高電圧を印加するための高電圧印加部３とを備えて構成してある。
【００２６】
冷却手段２は熱交換器により構成してあって実施例ではペルチェユニット１３を用いてある。ペルチェユニット１３は、熱伝導性の高いアルミナや窒化アルミニウムから成る絶縁板の片面側に回路を形成してある一対のペルチェ回路板を、互いの回路側が向い合うように対向させ、多数列設してあるＢｉＴｅ系の熱電素子を両ペルチェ回路板間で挟持するとともに隣接する熱電素子同士を両側の回路で電気的に接続させてペルチェモジュール１４を構成し、ペルチェ入力リード線１５を介して為される熱電素子への通電により一方のペルチェ回路板側から他方のペルチェ回路板側に向けて熱が移動するように設けたものであり、上記ペルチェモジュール１４の一方の側が冷却側、他方の側が放熱側となっている。
【００２７】
ペルチェモジュール１４の冷却側のペルチェ回路板の外側にはセラミック、アルミナや窒化アルミニウム等から成り高熱伝導性及び電気的絶縁性の高い冷却用絶縁板１６を接続させており、上記他方の側（以下、放熱側という）のペルチェ回路板の外側にはアルミニウム等の金属から成る高熱伝導性の放熱板１７を接続させている。なお、上記ペルチェ回路板としてはエポキシ樹脂やポリイミド樹脂から成る絶縁板に回路を形成したものであってもよいし、これら樹脂に熱伝導性の高いフィラーを含有させたものであってもよい。
【００２８】
放電電極１は銅や銅合金等の熱伝導性のよい材料により形成してあり、放電電極１の先端部４の先端が放電部４ａとなったもので後端をペルチェユニット１３の冷却側、図１の実施形態では冷却用絶縁板１６に接続してある。先端部４は球状や先端が尖った錘状の部分を備えていてその最先端が放電部４ａとなっている。
【００２９】
上記ペルチェモジュール１４は冷却用絶縁板１６及び冷却用絶縁板１６と放電電極１の後端の接続部を含めて樹脂製のハウジング２１の下部のペルチェユニット収納用凹部１９を被せて覆うと共にハウジング２１のペルチェユニット収納用凹部１９の上底部に設けた孔２０から放電電極１を突出させてハウジング２１の内部の放電用空所内に位置させている。ここで、冷却用絶縁板１６とハウジング２１のペルチェユニット収納用凹部１９の底面とが熱硬化性樹脂などの封止用の接着剤３０を介して水密的に固着してあり、更に、ハウジング２１の下部が放熱板１７に熱硬化性樹脂などの封止用の接着剤３０を介して水密的に固着してある。これによりハウジング２１のペルチェユニット収納用凹部１９内に内装されたペルチェモジュール１４内が封止され水が浸入しないようになっている。また、
また、ハウジング２１には高電圧印加板２２が装着してあり、金属製の高電圧印加板２２を放電電極１に圧入して高電圧印加板２２と放電電極１とを機械的、電気的に接続してある。
【００３０】
ハウジング２１の上部には上記放電電極１の先端の放電部４ａから一定の距離をおいて対向電極１２が設けてあり、この対向電極１２はＳＵＳなどの腐蝕に強い材料により形成してある。
【００３１】
上記高電圧印加板２２と対向電極１２とは高電圧印加部３にそれぞれ高圧リード線を介して接続してあり、高電圧印加部３から放電電極１と対向電極１２との間に高電圧が印加されるようになっている。
【００３２】
ハウジング２１のペルチェユニット収納用凹部１９の上底部の孔２０からハウジング２１の放電用空所内に突出した放電電極１は周りに小隙間６を介して断熱材７を設けてあると共に放電電極１の先端の放電部４ａが外部に露出している。ここで、添付図面に示す実施形態では、放電電極１の球状や錘状となった部分を備えた先端部４が外部に露出している例が示してある（つまり、先端（最先端）の放電部４ａだけでなく、放電部４ａ付近の部分も外部に露出しているが、必ずしもこれにのみ限定されず、放電電極１の先端の放電部４ａのみが外部に露出するものであってもよい。小隙間６は放電電極１の突出方向側が放電電極１の周方向を囲むように環状をした開口５となっている。この小隙間６は隙間寸法が短くて外部空間の空気の流れに影響されないようになっていて断熱用空間として機能するようになっていて、放電電極１の外部に露出した部分である放電部４ａ（又は、放電部４ａと放電部４ａ付近の部分）の冷却効果を向上させるようになっていると共に放電電極１の外部に露出した部分（先端部４）以外の部分で結露が発生しないようになっている。この小隙間６の隙間巾寸法は０．２〜１．０ｍｍとするのが好ましく、０．２ｍｍ以下だと水が表面張力により開口５側から小間隙６内に十分に排出されず、余剰結露水が放電電極１の先端の放電部４ａ付近に溜まって放電が不安定になるため好ましくなく、また、隙間巾寸法が１．０ｍｍ以上となると、放電電極１に流入した風が放電電極１に当たる面積が増加し、小間隙６による断熱性能が低下して放電電極１の放電部４ａ（又は、放電部４ａと放電部４ａ付近の部分）の冷却性能の低下を引き起こすので好ましくない。
【００３３】
小隙間６の放電電極１の突出方向と反対側の端部側には小隙間６に流れた水を溜めるための水溜め用凹所９を設けてあり、水溜め用凹所９は添付図面に示す実施形態では断熱材７の裏面側の中央部を凹ませることで形成してある。
【００３４】
上記の構成の静電霧化装置は、熱電素子に対して通電を行うと、各熱電素子内において同一方向への熱の移動が生じ、ペルチェユニット１３の片面側が冷却される。このペルチェユニット１３の片面の冷却側に設けた冷却用絶縁板１６を介して放電電極１が冷却され、放電電極１の周囲の空気が冷却されることで、空気中の水分が結露等により液化されて放電電極１の外部に露出した部分である先端部４に結露水が生成される。そして、放電電極１の先端の放電部４ａ（又は、放電部４ａと放電部４ａ付近の部分）に結露水が生成され且つ保持された状態で、高電圧印加部３により放電電極１の放電部側がマイナス電極となって電荷が集中するように該放電電極１と対向電極１２との間に５ｋＶ程度の高電圧を印加すると、放電部に保持される水が帯電し、帯電した水にクーロン力が働き、水の液面が局所的に円錐形状（テイラーコーン）に盛り上がり、円錐形状となった水の先端に電荷が集中して電荷の密度が高密度となり、高密度の電荷の反発力ではじけるようにして水が分裂・飛散（レーリー分裂）を繰り返して静電霧化を行い、ナノイオンミストを大量に発生させる。ナノイオンミストは放電電極１と対向して位置する対向電極１２に向けて移動し、ハウジング２１の開口内に固定される対向電極１２の中央穴を通過して静電霧化装置の外部へと放出される。
【００３５】
このように放電電極１を冷却手段２であるペルチェユニット１３により冷却して放電電極１の先端の放電部４ａ（又は、放電部４ａと放電部４ａ付近の部分）に空気中の水分を結露させて水を生成させ、この生成した水を放電霧化することで、従来のように水を補給する手間が必要でなく、また、空気中の水分を結露させて水を放電電極１の先端の放電部４ａ（又は、放電部４ａと放電部４ａ付近の部分）に生成させるので水道水のように不純物を含まないので付着物除去の手間が不要となり、更に、放電電極１に直接水が生成される構造なので冷却を開始してから素早い時間でミストを発生させることが可能であり、例えばヘアドライヤ等の短時間だけ使用する商品に備えるにも適したものとなる。
【００３６】
しかも、上記のように、放電電極１を冷却して結露水を生成させるものであるにもかかわらず、放電電極１の周りに小隙間６を介して断熱材７を設けたので、放電電極１を冷却手段２で冷却して空気中の水分を放電電極１に結露させるに当たって外部への露出部分である放電電極１の先端の放電部４ａ（又は、放電部４ａと放電部４ａ付近の部分）に結露水が生成され、他の部分には結露水が生成しない、または抑制されることなる。したがって、本発明によれば、放電電極１の先端の放電部４ａ（又は、放電部４ａと放電部４ａ付近の部分）を効果的に冷却させて安定して結露水を生成でき、安定した放電ができて、安定して静電霧化ができる。また、放電電極１の先端の放電部４ａ（又は、放電部４ａと放電部４ａ付近の部分）に結露水を生成する際に余剰結露水が生じた場合は、発生した余剰結露水が開口５から小隙間６内に流れ込む。小隙間６に流れ込んだ余剰結露水は小隙間６に連通した水溜め用凹所９に溜まる。したがって、断熱材７の表面（放電電極１の突出方向側の面）から放電電極１の外部への露出部分全体を覆うような水の塊ができるのを防止でき、安定した放電ができる。また、周囲環境が乾燥化した場合、湿度が低下して放電電極１の先端の放電部４ａ（又は、放電部４ａと放電部４ａ付近の部分）における結露が発生しないような事態が生じるおそれがあるが、このような場合、小隙間６、水溜め用凹所９に入った余剰結露水が蒸発して周囲環境に供給されて放電電極１の外部への露出部分に結露水を生成でき、この点でも安定して放電電極１の先端の放電部４ａ（又は、放電部４ａと放電部４ａ付近の部分）に結露水の生成をして静電霧化を行えることになる。
【００３７】
ところで、断熱材７の表面を図４のように放電電極１の突出方向と直角となるような面とした場合、静電霧化により生成されたナノイオンミストを搬送するために送風手段により放電電極１の突出方向に送風すると、図４の矢印ロのように断熱材７の表面に沿って流れた空気流が放電電極１に衝突して放電電極１の衝突部分で空気流が渦を巻き、発生したナノイオンミストを巻き込んで効率よくナノイオンミストを放出できず、更に、開口５付近で空気の渦流の発生し、小隙間６内の空気を撹乱して放電電極１の外部への露出部分以外の部分でも熱を奪うことになって、小隙間６の断熱性を低下させ、放電電極１の先端の放電部４ａ（又は、放電部４ａと放電部４ａ付近の部分）の冷却効果が低下する場合が生じ得るが、上記のように、断熱材７の表面を放電電極１に近づく程放電電極１の突出方向側となるように傾斜した傾斜面８とすることで、図３の矢印イのように傾斜面８に沿って風が流れて放電電極１の突出方向に流れることになり、生成されたナノイオンミストを空気流にのせて効果的に放出することができ、また、小隙間６の開口５付近で空気の渦が発生しないので、小隙間６内の空気を撹乱して放電電極１の外部への露出部分以外の部分から熱を奪うことがなくて、小隙間６の断熱性を低下させない。しかも、断熱材７の表面を放電電極１に近づく程放電電極１の突出方向側となるように傾斜した傾斜面８とすることで、放電電極１の外部への露出部分に生成された結露水の量が多い場合に、一部の結露水が小隙間６の開口５を越えて断熱材７の表面に流れても、傾斜面８に沿って放電電極１から離れる方向に流すことができ、断熱材７の表面から放電電極１の外部への露出部分全体を覆うような水の塊が発生しないようにできて安定した放電ができることになる。
【００３８】
本発明において使用する断熱材７の材質としては例えばポリカーボネート、ジュラコン、ＡＢＳ、ＰＰ、ＰＢＴ、ＰＡ、ウレタン系樹脂等の樹脂、あるいは、セラミックやフェルト等が使用できる。
【００３９】
ここで、断熱材７が保水性を有する多孔質材料により形成してもよい。断熱材７を多孔質製のセラミック、フェルト、発泡性ポリアミド、あるは発泡性ウレタン樹脂等の多孔質材料で形成してもよい。このように断熱材７を保水性を有する多孔質材料により形成することで、多孔質材料の断熱材７に余剰結露水を保水でき、よりいっそう断熱材７から放電電極１の外部への露出部分全体を覆うような水の塊が発生しないようにできて安定した放電ができることになる。しかも、周囲環境が乾燥化した場合、多孔質材料の断熱材７に保水した水が周囲環境に供給されて放電電極１の先端の放電部４ａ（又は、放電部４ａと放電部４ａ付近の部分）に結露水を生成でき、この点でもより安定して放電電極１の先端の放電部４ａ（又は、放電部４ａと放電部４ａ付近の部分）に結露水の生成をして静電霧化を行える。
【００４０】
図５には本発明の他の実施形態が示してある。本実施形態においては、断熱材７の表面に余剰結露水を入れる凹部１０を形成してある。放電電極１の外部への露出部分で結露水が生成される際に余剰結露水が生成された場合、前述のように開口５から余剰結露水が小隙間６内に流れ込むのであるが、余剰結露水が多い場合、一部の余剰結露水が断熱材７の表面に流れることがある。このように余剰結露水の一部が断熱材７の表面に流れても、この余剰結露水が断熱材７の表面の凹部１０に溜まって保水されることになり、断熱材７の表面から放電電極１の外部への露出部分全体を覆うような水の塊が発生しないようにでき、安定した放電ができる。しかも、周囲環境が乾燥化した場合、断熱材７に設けた凹部１０に保水した水が蒸発して周囲環境に供給されて放電電極１の先端の放電部４ａ（又は、放電部４ａと放電部４ａ付近の部分）に結露水を生成でき、より安定して放電電極１の先端の放電部４ａ（又は、放電部４ａと放電部４ａ付近の部分）に結露水の生成をして静電霧化を行えることになる。
【００４１】
図６には本発明の更に他の実施形態が示してある。本実施形態は断熱材７の表面から水溜め用凹所９に至る孔１１を形成してある。本実施形態においては、余剰結露水の一部が断熱材７の表面に流れても、この余剰結露水は断熱材７の表面の孔１１から水溜め用凹所９に流れて溜まって保水されることになり、断熱材７の表面から放電電極１の外部への露出部分全体を覆うような水の塊が発生しないようにでき、安定した放電ができる。しかも、周囲環境が乾燥化した場合、水溜め用凹所９に保水した水が周囲環境に供給されて放電電極１の先端の放電部４ａ（又は、放電部４ａと放電部４ａ付近の部分）に結露水を生成でき、より安定して放電電極１の先端の放電部４ａ（又は、放電部４ａと放電部４ａ付近の部分）に結露水の生成をして静電霧化を行える。
【００４２】
図７には本発明の更に他の実施形態が示してある。本実施形態においては、断熱材７の放電電極１の表面を親水処理して親水処理部２４を形成してある。本実施形態においては、余剰結露水の一部が断熱材７の表面に流れても、断熱材７の表面が親水処理してあるので断熱材７の表面の水が表面張力を失い、よりいっそう断熱材７の表面から放電電極１の外部への露出部分全体を覆うような水の塊が発生しないようにできて安定した放電ができる。しかも、断熱材７の放電電極１の突出方向側の面の水が表面張力を失うので、水を開口５から小隙間６側にスムーズに流すことができ、また、凹部１０を設けた場合には凹部１０にスムーズに入って保水することができ、また、孔１１を設けた場合には孔１１にスムーズに水を流すことができる。
【００４３】
なお、いずれの実施形態においても、水溜め用凹所９は単なる空間であってもよいが、吸水性を有する部材を充填し、水溜め用凹所９内において吸水性を有する部材に水を保水させてもよい。
【００４４】
なお、上記いずれの実施形態においても、水溜め用凹所９内に吸湿性を有する多孔質材料を内装してもよく、この場合には多孔質材料に水が保水されるので保水効果がより確実となる。
【図面の簡単な説明】
【００４５】
【図１】本発明の静電霧化装置の概略構成図である。
【図２】同上の静電霧化装置の要部断面図である。
【図３】同上の断熱材の表面を傾斜面とした場合の風の流れを示す説明図である。
【図４】同上の断熱材の表面を放電電極の突出方向と直交した場合の風の流れを示す説明図である。
【図５】同上の静電霧化装置の他の実施形態の要部断面図である。
【図６】同上の静電霧化装置の更に他の実施形態の要部断面図である。
【図７】同上の静電霧化装置の更に他の実施形態の要部断面図である。
【図８】断熱材と放電電極とが密着している場合の問題点を示す要部断面図である。
【符号の説明】
【００４６】
１  放電電極
２  冷却手段
３  高電圧印加部
４ａ  放電部
５  開口
６  小隙間
７  断熱材
８  傾斜面
９  水溜め用凹所
１０  凹部
１１  孔
【図１】
0004670711.tif 000002
【図２】
0004670711.tif 000003
【図３】
0004670711.tif 000004
【図４】
0004670711.tif 000005
【図５】
0004670711.tif 000006
【図６】
0004670711.tif 000007
【図７】
0004670711.tif 000008
【図８】
0004670711.tif 000009